(57)【要約】【課題】小型で、イオンの殺菌性能を効果的に発揮する、イオン散布装置および空気調節装置を提供する。【解決手段】正イオン５０および負イオン６０を送出する送風機９と、送風機９の風下に配置され、正イオン５０および負イオン６０を発生させる放電電極４とを備えている。また、放電電極４を挟んで対向する正電極５および負電極６を有し、正電極５および負電極６に電圧を印加して、正イオン５０と負イオン６０とを分離する電圧印加装置８を備えている。【選択図】図１
2011023238.tif 000002
【特許請求の範囲】
【請求項１】
放電電極に電圧を印加して発生させた正イオンおよび負イオンを、強制的な送風により散布するイオン散布装置であって、
前記正イオンおよび前記負イオンを送出する送風機と、
前記送風機の風下に配置され、前記正イオンおよび前記負イオンを発生させる前記放電電極と、
前記放電電極を挟んで対向する正電極および負電極を有し、前記正電極および前記負電極に電圧を印加して、前記正イオンと前記負イオンとを分離する電圧印加装置と
を備えた、イオン散布装置。
【請求項２】
前記放電電極は、前記正イオンを発生させる第１イオン放電電極、および、前記負イオンを発生させる第２イオン放電電極を含み、
前記電圧印加装置は、前記第１イオン放電電極から前記第２イオン放電電極に向けて、電位が高くなるように電界を発生させ、
前記負電極は、前記第１イオン放電電極から見て、前記第２イオン放電電極が配置される側とは反対側に設けられ、
前記正電極は、前記第２イオン放電電極から見て、前記第１イオン放電電極が配置される側とは反対側に設けられた、請求項１に記載のイオン散布装置。
【請求項３】
前記正イオンおよび前記負イオンを外部に散布する吐出部と、
前記負電極の風下に入口を有し、前記吐出部に出口を有する管状の第１配管と、
前記正電極の風下に入口を有し、前記吐出部に出口を有する管状の第２配管と
をさらに備え、
前記第１配管では、前記正イオンが内部を通過し、
前記第２配管では、前記負イオンが内部を通過する、請求項１または２に記載のイオン散布装置。
【請求項４】
前記第１配管および前記第２配管をそれぞれ複数有し、
前記吐出部において、前記第１配管および前記第２配管の前記出口が混合して配置された、請求項３に記載のイオン散布装置。
【請求項５】
前記吐出部において中央から外側に行くにつれて、前記第１配管および前記第２配管の内径が大きくなる、請求項４に記載のイオン散布装置。
【請求項６】
請求項１から５のいずれかに記載のイオン散布装置を備えた、空気調節装置。
【発明の詳細な説明】
【技術分野】
【０００１】
本発明は、イオン散布装置およびそれを備えた空気調節装置に関する。
【背景技術】
【０００２】
従来より、イオンを発生させて空気を浄化する装置が提供されている。特に、マイナスイオンを有効に利用したイオン空気清浄機を開示した先行文献として、特許文献１(特開２００７−４４５７６号公報)がある。
【０００３】
特許文献１に記載されたイオン空気清浄機では、捕獲シートをマイナスイオンによって帯電させる。その捕獲シートに、プラスに帯電している空気中の不純物を吸着させることにより空気を浄化している。
【０００４】
特許文献１に記載されたイオン空気清浄機では、捕獲シートを用いているため、シート交換などのメンテナンスが必要となる。このメンテナンスを不要とした空気調節装置を開示した先行文献として、特許文献２(特開２００５−２７７４４号公報)がある。
【０００５】
特許文献２に記載された空気調節装置は、正イオンおよび負イオンを発生させて空気中に放出する。その正イオンおよび負イオンが空気中の浮遊粒子上で結合することにより、化学反応を起こして粒子を分解する。また、特許文献２に記載された空気調節装置では、浮遊粒子の粒子径の違いなどに対応して、正イオンおよび負イオンの放出濃度を調整している。
【０００６】
イオンは、除電性能と殺菌性能とを有しており、これらの性能をイオンの散布方法を切り替えて利用する空気調和機を開示した先行文献として、特許文献３(特開２００７−２５８０７３号公報)がある。特許文献３に記載された空気調和機では、正イオンおよび負イオンを放出する際に、正イオンが密な領域と負イオンが密な領域との距離を切り替えることができる。この距離が短いときは、イオンの殺菌性能が優勢となり、長いときは、イオンの除電性能が優勢となる。
【０００７】
図４は、従来のイオン散布装置の構造を示す模式斜視図である。図５は、従来のイオン散布装置の構造を示す模式平面図である。図４に示すように、従来のイオン散布装置４０は、正イオンを発生させる第１イオン電極４２、および、負イオンを発生させる第２イオン電極４３からなる放電電極４４を備えている。放電電極４４には、図示しない配線により電源と接続されて、電圧が印加される。
【０００８】
図４，５に示すように、イオン散布装置４０では、発生した正イオン５０および負イオン６０を、強制的な送風により散布している。正イオン５０および負イオン６０を送出するために、放電電極４４が送風機４９の風下に配置されている。
【先行技術文献】
【特許文献】
【０００９】
【特許文献１】特開２００７−４４５７６号公報
【特許文献２】特開２００５−２７７４４号公報
【特許文献３】特開２００７−２５８０７３号公報
【発明の概要】
【発明が解決しようとする課題】
【００１０】
上記のように、正イオン５０および負イオン６０により浮遊物質を変性させて無害化するためには、正イオン５０および負イオン６０が浮遊物質上で結合する必要がある。従来のイオン散布装置では、放電電極４４で発生させた正イオン５０および負イオン６０が、混在した状態で送出されていたため、空気中の浮遊粒子に到達する前に、正イオン５０と負イオン６０とが結合して消滅してしまっていた。
【００１１】
よって、正イオンおよび負イオンを空気中に放出する際には、正イオンおよび負イオンを互いに分離した状態で散布する必要がある。特許文献２に記載された空気調節装置には、正イオンおよび負イオンを分離して放出する機構が備えられていない。
【００１２】
特許文献３に記載の空気調和機では、正イオンおよび負イオンのそれぞれ密な領域の間の距離を変更するために、放電装置を２つ備えている。そのため、空気調和機が大型化するという問題があった。
【００１３】
本発明は上記の問題点に鑑みなされたものであって、小型で、イオンの殺菌性能を効果的に発揮する、イオン散布装置および空気調節装置を提供することを目的とする。
【課題を解決するための手段】
【００１４】
本発明に基づくイオン散布装置は、放電電極に電圧を印加して発生させた正イオンおよび負イオンを、強制的な送風により散布するイオン散布装置である。イオン散布装置は、正イオンおよび負イオンを送出する送風機と、送風機の風下に配置され、正イオンおよび負イオンを発生させる放電電極とを備えている。また、イオン散布装置は、放電電極を挟んで対向する正電極および負電極を有し、正電極および負電極に電圧を印加して、正イオンと負イオンとを分離する電圧印加装置とを備えている。
【００１５】
このように構成することにより、正イオンは負電極に引きつけられ、負イオンは正電極に引き付けられて、正イオンと負イオンとを分離して外部に散布することができる。よって、空気中の浮遊物質に到達する前に、正イオンと負イオンとが結合して消滅することを抑制することができる。また、電圧印加装置により印加する電圧を調節することにより、正イオンと負イオンとの分離する度合いを調整することもできる。さらに、本発明に基づくイオン散布装置には、正イオンと負イオンとを分離するために放電装置を複数備える必要がないため、装置の小型化を図ることができる。
【００１６】
本発明に基づくイオン散布装置では、放電電極は、正イオンを発生させる第１イオン放電電極、および、負イオンを発生させる第２イオン放電電極を含むようにしてもよい。この場合、電圧印加装置は、第１イオン放電電極から第２イオン放電電極に向けて、電位が高くなるように電界を発生させるようにする。負電極は、第１イオン放電電極から見て、第２イオン放電電極が配置される側とは反対側に設けられ、正電極は、第２イオン放電電極から見て、第１イオン放電電極が配置される側とは反対側に設けられるようにする。
【００１７】
このように構成することにより、正イオンと負イオンとをそれぞれの放電電極で発生させた後、正イオンを負電極に引き寄せ、負イオンを正電極に引き寄せることにより、正イオンと負イオンとを明確に分離して散布することができる。
【００１８】
好ましくは、本発明に基づくイオン散布装置は、正イオンおよび負イオンを外部に散布する吐出部と、負電極の風下に入口を有し、吐出部に出口を有する管状の第１配管と、正電極の風下に入口を有し、吐出部に出口を有する管状の第２配管とをさらに備えている。第１配管では、正イオンが内部を通過し、第２配管では、負イオンが内部を通過する。
【００１９】
このように構成することにより、負電極および正電極により分離された正イオンおよび負イオンを、吐出部まで別々に送ることができる。よって、吐出部から外部に正イオンおよび負イオンが散布する前に、正イオンおよび負イオンが結合して消滅することを抑制することができる。
【００２０】
好ましくは、本発明に基づくイオン散布装置は、第１配管および第２配管をそれぞれ複数有している。吐出部において、その第１配管および第２配管の出口が混合して配置されている。このように構成することにより、吐出部まで別々に送った正イオンおよび負イオンを、外部に分散して散布することができる。よって、空気中の浮遊物質上において、正イオンと負イオンとが結合しやすくすることができる。
【００２１】
好ましくは、本発明に基づくイオン散布装置では、吐出部において中央から外側に行くにつれて、第１配管および第２配管の内径が大きくなるようにする。このように構成することにより、吐出部から外部にイオンを送出する際の吐出部の中央と周囲との圧力差を減じて、散布される空気の気流を整え、正イオンと負イオンとが散布後すぐに結合してしまうことを抑制することができる。
【発明の効果】
【００２２】
本発明によれば、正イオンを負電極に引き付け、負イオンを正電極に引き付けて、正イオンと負イオンとを分離した状態で散布することにより、空気中の浮遊物質に到達する前に、正イオンおよび負イオンが結合して消滅することを抑制することができる。よって、イオンの殺菌性能を効果的に発揮させることができる。また、正電極と負電極との間に印加する電圧を調節することにより、正イオンと負イオンとを分離する度合いを調整することができる。さらに、正イオンと負イオンとを分離するために、複数の放電装置を備える必要がないため、装置の小型化を図ることができる。
【図面の簡単な説明】
【００２３】
【図１】本発明の実施の形態１に係るイオン散布装置の構造を示す模式斜視図である。
【図２】本発明の実施の形態２に係るイオン散布装置の構造を示す模式斜視図である。
【図３】本発明の実施の形態３に係る空気調節装置の構造を示す模式斜視図である。
【図４】従来のイオン散布装置の構造を示す模式斜視図である。
【図５】従来のイオン散布装置の構造を示す模式平面図である。
【発明を実施するための形態】
【００２４】
以下、本発明に基づいた実施の形態１に係るイオン散布装置について、図を参照しながら説明する。
【００２５】
実施の形態１
図１は、本発明の実施の形態１に係るイオン散布装置の構造を示す模式斜視図である。図１に示すように、本発明の実施の形態１に係るイオン散布装置１では、放電電極４に電圧を印加して発生させた正イオン５０および負イオン６０を、強制的な送風により散布している。
【００２６】
イオン散布装置１には、正イオン５０および負イオン６０を送出する送風機９が設けられている。また、イオン散布装置１には、正イオン５０を発生させる第１イオン放電電極２、および、負イオン６０を発生させる第２イオン放電電極３からなる放電電極４が送風機９の風下に設けられている。
【００２７】
第１イオン放電電極２および第２イオン放電電極３には、図示しない配線により電源と接続されて電圧が印加されている。第１イオン放電電極２にはプラスの電圧が、第２イオン放電電極３にはマイナスの電圧が印加される。
【００２８】
本実施形態では、針電極方式の放電電極４を設けたが、パネル電極方式の放電電極を用いていもよい。パネル電極方式の放電電極に交流電圧を印加することにより、そのパネル電極から正イオンおよび負イオンの両方を発生させることができる。
【００２９】
イオン散布装置１には、電圧印加装置８が設けられている。電圧印加装置８の正電極５および負電極６は、放電電極４を挟んで対向するように配置されている。正電極５および負電極６は、配線により直流電源７に接続されている。
【００３０】
負電極６は、第１イオン放電電極２から見て、第２イオン放電電極３が配置される側とは反対側に設けられている。正電極５は、第２イオン放電電極３から見て、第１イオン放電電極２が配置される側とは反対側に設けられている。電圧印加装置８は、第１イオン放電電極２から第２イオン放電電極３に向けて、電位が高くなるように電界を発生させる。
【００３１】
本実施形態のイオン散布装置１では、第１イオン放電電極２で発生させた正イオン５０を、負電極６に引き寄せ、第２イオン放電電極３で発生させた負イオン６０を、正電極５に引き寄せている。このように、正イオン５０と負イオン６０とを分離した状態で、送風機９による送風により、外部に正イオン５０および負イオン６０を散布している。
【００３２】
外部に散布された正イオン５０および負イオン６０は、すぐには結合せずに空中を浮遊している。その間に、浮遊物質上で正イオン５０および負イオン６０が結合することにより、浮遊物質が変性されて無毒化される。
【００３３】
電圧印加装置８により正電極５と負電極６との間に印加する電圧を大きくした場合、正イオン５０は、負電極６の近傍まで引き寄せられ、負イオン６０は、正電極５の近傍まで引き寄せられる。よって、正イオン５０と負イオン６０とは、明確に分離される。この状態で、正イオン５０および負イオン６０を外部に散布すると、正イオン５０および負イオン６０が結合するまでの時間を長くして、遠方まで正イオン５０および負イオン６０を送ることができる。よって、イオン散布装置１の遠方の空気中の浮遊物質を除去するのに適している。
【００３４】
一方、電圧印加装置８により正電極５と負電極６との間に印加する電圧を小さくした場合、正イオン５０は、負電極６に僅かに引き寄せられ、負イオン６０は、正電極５に僅かに引き寄せられる。よって、正イオン５０が多く存在する空間と負イオン６０が多く存在する空間との境界では、正イオン５０と負イオン６０とが混在している。この状態で、正イオン５０および負イオン６０を外部に散布すると、正イオン５０および負イオン６０は、比較的短時間で結合する。よって、イオン散布装置１の近傍の空気中の浮遊物質を除去するのには適している。
【００３５】
このように、本実施形態のイオン散布装置１では、電圧印加装置８の印加する電圧を調節することにより、正イオン５０および負イオン６０の分離状態を調整することができる。よって、正イオン５０および負イオン６０が結合するまでの時間を調整して、正イオン５０および負イオン６０の散布範囲を変更することができる。
【００３６】
また、正イオン５０および負イオン６０を分離した状態で散布することにより、散布後すぐに正イオン５０と負イオン６０とが結合することを抑制して、正イオン５０および負イオン６０を浮遊物質まで到達させ、イオンの殺菌性能を効果的に発揮させている。さらに、正イオン５０および負イオン６０を分離させるために、イオンを発生させる放電装置を複数備える必要がないため、イオン散布装置１を小型にすることができる。
【００３７】
実施の形態２
図２は、本発明の実施の形態２に係るイオン散布装置の構造を示す模式斜視図である。図２に示すように、本発明の実施の形態２に係るイオン散布装置１０では、正イオン５０および負イオン６０を外部に散布する吐出部１３が設けられている。
【００３８】
また、イオン散布装置１０には、正イオン５０が内部を通過する管状の第１配管である正イオン誘導管１１と、負イオン６０が内部を通過する管状の第２配管である負イオン誘導管１２とが設けられている。
【００３９】
正イオン誘導管１１は、負電極６の風下に入口が配置され、吐出部１３に出口が配置される。負イオン誘導管１２は、正電極５の風下に入口が配置され、吐出部１３に出口が配置される。
【００４０】
本実施形態では、複数の正イオン誘導管１１および複数の負イオン誘導管１２が設けられている。吐出部１３では、正イオン誘導管１１の出口と負イオン誘導管１２の出口とが均等に分散するように混合して配置されている。
【００４１】
このように、正イオン誘導管１１および負イオン誘導管１２を設けることにより、電圧印加装置８により分離された正イオン５０と負イオン６０とを別々に吐出部１３まで送ることができる。よって、イオン散布装置１０の内部において、正イオン５０と負イオン６０とが結合して消滅することを抑制することができる。ここで、負イオン６０は正イオン誘導管１１を通過せず、正イオン５０は負イオン誘導管１２を通過しないようにすることが好ましいが、少量の負イオン６０が正イオン５０とともに正イオン誘導管１１を通過し、少量の正イオン５０が負イオン６０とともに負イオン誘導管１２を通過した場合であっても、上記の効果を得ることができる。
【００４２】
また、吐出部１３では、混合して配置された正イオン誘導管１１および負イオン誘導管１２の出口から、正イオン５０および負イオン６０が散布されることにより、正イオン５０が多く存在する領域と負イオン６０が多く存在する領域とを分離した状態で混在させることができる。このように散布することにより、正イオン５０と負イオン６０とが、散布後すぐに結合することを抑制しつつ、空気中の浮遊物質上で結合しやすくすることができる。
【００４３】
本実施形態では、吐出部１３の中央に配置された正イオン誘導管１１Ａおよび負イオン誘導管１２Ａの内径と比較して、この正イオン誘導管１１Ａおよび負イオン誘導管１２Ａの周囲に配置された正イオン誘導管１１Ｂおよび負イオン１２Ｂの内径の方が大きくなるようにした。さらに、正イオン誘導管１１Ｂおよび負イオン１２Ｂの内径と比較して、この正イオン誘導管１１Ｂおよび負イオン誘導管１２Ｂの周囲に配置された正イオン誘導管１１Ｃおよび負イオン１２Ｃの内径の方が大きくなるようにした。
【００４４】
このように、吐出部１３において中央から外側に行くにつれて、正イオン誘導管１１および負イオン誘導管１２の内径が大きくなるようにした。本実施形態では、内径が異なる３種の正イオン誘導管１１および３種の負イオン誘導管１２を用いたが、内径違いの誘導管の数はこれに限られない。
【００４５】
このように正イオン誘導管１１および負イオン誘導管１２の内径の大きさを変化させることにより、正イオン５０および負イオン６０を散布する際の吐出部１３の前面の圧力分布を均等にすることができる。よって、吐出部１３からの吐出し方向以外の空気の対流を少なくして、散布された正イオン５０と負イオン６０とが分離された状態を維持することができ、遠方まで正イオン５０および負イオン６０を送ることが可能になる。
【００４６】
その結果、正イオン５０および負イオン６０の空気中の存続時間が延長され、空気中の浮遊物質上で正イオン５０と負イオン６０とが結合する割合が増加し、イオンの殺菌性能を効果的に発揮させることができる。
【００４７】
本実施形態のイオン散布装置１０は、吐出部１３、正イオン誘導管１１および負イオン誘導管１２以外の構成については、実施の形態１のイオン散布装置１と同様であるため、説明を繰り返さない。
【００４８】
実施の形態３
図３は、本発明の実施の形態３に係る空気調節装置の構造を示す模式斜視図である。空気調節装置としては、空気清浄機または空気調和機などが挙げられる。図３に示すように、本発明の実施の形態３に係る空気調節装置２０は、筐体３４を有している。
【００４９】
筐体３４の内部には、イオン発生部３６、正イオン隔離部３７および負イオン隔離部３８が形成されている。正イオン隔離部３７と負イオン隔離部３８とは、仕切板３５により隔離されている。
【００５０】
イオン発生部３６では、放電電極２４に電圧を印加して発生させた正イオン５０および負イオン６０を、強制的な送風により散布している。イオン発生部３６で発生した正イオン５０および負イオン６０を送出する送風機２９が、筐体３４のイオン発生部３６側の側面の近傍に設けられている。
【００５１】
イオン発生部３６には、正イオン５０を発生させる第１イオン放電電極２２、および、負イオン６０を発生させる第２イオン放電電極２３からなる放電電極２４が送風機２９の風下に設けられている。
【００５２】
第１イオン放電電極２２および第２イオン放電電極２３には、図示しない配線により電源と接続されて電圧が印加されている。第１イオン放電電極２２にはプラスの電圧が、第２イオン放電電極２３にはマイナスの電圧が印加される。
【００５３】
本実施形態では、針電極方式の放電電極２４を設けたが、パネル電極方式の放電電極を用いていもよい。パネル電極方式の放電電極に交流電圧を印加することにより、放電電極から正イオン５０および負イオン６０の両方を交互に発生させることができる。
【００５４】
イオン発生部３６には、電圧印加装置２８が設けられている。電圧印加装置２８の正電極２５および負電極２６は、放電電極２４を挟んで対向するように配置されている。正電極２５および負電極２６は、配線により直流電源２７に接続されている。
【００５５】
負電極２６は、第１イオン放電電極２２から見て、第２イオン放電電極２３が配置される側とは反対側に設けられている。正電極２５は、第２イオン放電電極２３から見て、第１イオン放電電極２２が配置される側とは反対側に設けられている。電圧印加装置２８は、第１イオン放電電極２２から第２イオン放電電極２３に向けて、電位が高くなるように電界を発生させている。
【００５６】
送風機２９と正電極２５および負電極２６との間に位置する筐体３４には、図示しない開口部が形成されている。この開口部を通過して、送風機２９から筐体３４の内部に風が供給される。
【００５７】
イオン発生部３６では、第１イオン放電電極２２で発生させた正イオン５０を、負電極２６に引き寄せ、第２イオン放電電極２３で発生させた負イオン６０を、正電極２５に引き寄せている。このように、正イオン５０と負イオン６０とを分離した状態で、送風機２９の送風により、正イオン５０を正イオン隔離部３７に、負イオン６０を負イオン隔離部３８に移動させている。
【００５８】
正イオン隔離部３７の風下側の端部に位置する筐体３４の一部には、複数の開口が設けられている。この開口に、正イオン５０が内部を通過する管状の第１配管である、正イオン誘導管３１の入口が接続されている。本実施形態では、１２本の正イオン誘導管３１を設けたが、正イオン誘導管３１の本数はこれに限られない。
【００５９】
負イオン隔離部３８の風下側の端部に位置する筐体３４の一部には、開口が設けられている。この開口に、負イオン６０が内部を通過する管状の第２配管である、負イオン誘導管３２の入口が接続されている本実施形態では、１２本の負イオン誘導管３２を設けたが、負イオン誘導管３２の本数はこれに限られない。
【００６０】
本発明の実施の形態３に係る空気調節装置２０では、正イオン５０および負イオン６０を外部に散布する吐出部３３が設けられている。正イオン誘導管３１の出口と負イオン誘導管３２の出口とは、近傍に寄せ集められて吐出部３３に、均等に分散するように混合して配置されている。
【００６１】
このように、イオン発生部３６で発生させた正イオン５０と負イオン６０とを分離した後、正イオン５０は正イオン隔離部３７を経て、負イオン６０は負イオン隔離部３８を経て、それぞれ別々に吐出部３３に送られる。よって、空気調節装置２０の内部で、正イオン５０と負イオン６０とが結合して消滅することを抑制することができる。ここで、負イオン６０は正イオン誘導管３１を通過せず、正イオン５０は負イオン誘導管３２を通過しないようにすることが好ましいが、少量の負イオン６０正イオン５０とともにが正イオン誘導管３１を通過し、少量の正イオン５０が負イオン６０とともに負イオン誘導管３２を通過した場合であっても、上記の効果を得ることができる。
【００６２】
本実施形態では、吐出部３３の中央に配置された正イオン誘導管３１Ａおよび負イオン誘導管３２Ａの内径と比較して、この正イオン誘導管３１Ａおよび負イオン誘導管３２Ａの周囲に配置された正イオン誘導管３１Ｂおよび負イオン３２Ｂの内径の方が大きくなるようにした。さらに、正イオン誘導管３１Ｂおよび負イオン３２Ｂの内径と比較して、この正イオン誘導管３１Ｂおよび負イオン誘導管３２Ｂの周囲に配置された正イオン誘導管３１Ｃおよび負イオン３２Ｃの内径の方が大きくなるようにした。
【００６３】
このように、吐出部３３において中央から外側に行くにつれて、正イオン誘導管３１および負イオン誘導管３２の内径が大きくなるようにした。本実施形態では、内径が異なる３種の正イオン誘導管３１および３種の負イオン誘導管３２を用いたが、内径違いの誘導管の数はこれに限られない。
【００６４】
このように正イオン誘導管３１および負イオン誘導管３２の内径の大きさを変化させることにより、正イオン５０および負イオン６０を散布する際の吐出部３３の前面の圧力分布を均等にすることができる。よって、吐出部３３からの吐出し方向以外の空気の対流を少なくして、散布された正イオン５０と負イオン６０とが分離された状態を維持することができ、遠方まで正イオン５０および負イオン６０を送ることが可能になる。
【００６５】
その結果、正イオン５０および負イオン６０の空気中の存続時間が延長され、空気中の浮遊物質上で正イオン５０と負イオン６０とが結合する割合が増加し、イオンの殺菌性能を効果的に発揮させることができる。
【００６６】
なお、今回開示した上記実施の形態はすべての点で例示であって、限定的な解釈の根拠となるものではない。したがって、本発明の技術的範囲は、上記した実施の形態のみによって解釈されるものではなく、特許請求の範囲の記載に基づいて画定される。また、特許請求の範囲と均等の意味および範囲内でのすべての変更が含まれる。
【符号の説明】
【００６７】
１，１０，４０  イオン散布装置、２，２２，４２  第１イオン放電電極、３，２３，４３  第２イオン放電電極、４，２４，４４  放電電極、５，２５  正電極、６，２６  負電極、７，２７  直流電源、８，２８  電圧印加装置、９，２９，４９  送風機、１１，１１Ａ，１１Ｂ，１１Ｃ，３１，３１Ａ，３１Ｂ，３１Ｃ  正イオン誘導管、１２，１２Ａ，１２Ｂ，１２Ｃ，３２，３２Ａ，３２Ｂ，３２Ｃ  負イオン誘導管、１３，３３  吐出部、２０  空気調節装置、３４  筐体、３５  仕切板、３６  イオン発生部、３７  正イオン隔離部、３８  負イオン隔離部、５０  正イオン、６０  負イオン。
【図１】
2011023238.tif 000003
【図２】
2011023238.tif 000004
【図３】
2011023238.tif 000005
【図４】
2011023238.tif 000006
【図５】
2011023238.tif 000007